(57)【要約】 【課題】  音響障害を防ぐための対策を施しながら、室内の意匠性を良好に維持することができる音響室を目的とする。【解決手段】  天井(40)の周端部分に、ダクト収容用の梁型(55)を下方へ張り出すように設けるとともに、天井(40)の梁型(55)によって囲まれた部分に、音を拡散するための凹凸部(70)を設けて、凹凸部(70)の下方への張り出し量を梁型(55)の下方への張り出し量よりも小さくする。【選択図】  図１
2006132136.tif 000002
【特許請求の範囲】
【請求項１】
天井の周端部分に、ダクト収容用の梁型を下方へ張り出すように設けるとともに、前記天井の梁型によって囲まれた部分に、音を拡散するための凹凸部を設けて、前記凹凸部の下方への張り出し量を前記梁型の下方への張り出し量よりも小さくしたことを特徴とする音響室。
【請求項２】
前記梁型は、略水平な下面を有する請求項１記載の音響室。
【請求項３】
前記梁型は、複数の野縁を組み付けてなる下地材に複数の表面材を取り付けてなる請求項１又は２記載の音響室。
【請求項４】
前記凹凸部は、複数の野縁を組み付けてなる下地材に複数の傾斜天井材を鋸歯状に取り付けてなる請求項１乃至３のいずれかに記載の音響室。
【請求項５】
前記凹凸部を、前記梁型によって囲まれた部分全体に亘って設けるようにした請求項１乃至４のいずれかに記載の音響室。
【請求項６】
内壁部分に、吸音板を分散配置した内装材を設けた請求項１乃至５のいずれかに記載の音響室。
【請求項７】
前記内装材は、吸音板と音反射板とをそれら室内側の面が略面一となるように連続させてなる請求項６記載の音響室。
【発明の詳細な説明】
【技術分野】
【０００１】
この発明は、例えば住宅の一室として構築される音響室に関する。
【背景技術】
【０００２】
住宅内に音響室を構築する場合、フラッターエコー等の音響障害を防ぐために、天井に凹凸や傾斜を施して音を拡散させたり、内壁面に吸音板を設けて吸音していることが多い。例えば、特許文献１には、傾斜天井とした音響室が開示され、特許文献２には、内壁面に吸音板を張り付けた音響室が開示されている。
【０００３】
【特許文献１】特開平１１−２８９５０７号公報
【特許文献２】特開２０００−１６０７２８号公報
【発明の開示】
【発明が解決しようとする課題】
【０００４】
しかしながら、天井に凹凸や傾斜を施す場合、これら凹凸や傾斜が目立ってしまって、室内の意匠性を良好に保ち難くかった。さらに、天井への照明機器や空調機器等の設備機器の設置が困難となるといった不具合もあった。
【０００５】
また、内壁面に吸音板を設ける場合、吸音板がその厚み分だけ出っ張って、室内の意匠性を良好に保ち難くかった。特に、音響障害の低減や音場制御の観点からは、複数の吸音板を内壁面に分散して配置するのが望ましいが、このような分散配置においては室内の見栄えがより悪くなるといった不具合があった。
【０００６】
この発明は、上記の不具合を解消して、音響障害を防ぐための対策を施しながら、室内の意匠性を良好に維持することができる音響室の提供を目的とする。
【課題を解決するための手段】
【０００７】
上記の課題を解決するため、この発明の音響室は、天井の周端部分に、ダクト収容用の梁型を下方へ張り出すように設けるとともに、前記天井の梁型によって囲まれた部分に、音を拡散するための凹凸部を設けて、前記凹凸部の下方への張り出し量を前記梁型の下方への張り出し量よりも小さくしたことを特徴とする。
【０００８】
具体的に、前記梁型は、略水平な下面を有する。また、この梁型は、複数の野縁を組み付けてなる下地材に複数の表面材を取り付けてなる。
【０００９】
前記凹凸部は、複数の野縁を組み付けてなる下地材に複数の傾斜天井材を鋸歯状に取り付けてなる。そして、この凹凸部を、前記梁型によって囲まれた部分全体に亘って設けるようにしている。
【００１０】
さらに、内壁部分に、吸音板を分散配置した内装材を設けている。この内装材は、吸音板と音反射板とをそれら室内側の面が略面一となるように連続させてなる。
【発明の効果】
【００１１】
この発明の音響室においては、天井の周端部分に設けた梁型の懐内に凹凸部を納めるようにしているので、音響障害を防ぐための対策を施しながら、凹凸部を目立たなくして、室内の意匠性を良好に維持することができる。特に、梁型によって囲まれた部分全体に亘って凹凸部を設けることで、梁型と凹凸部との一体感を高めて、見栄えを良好にすることができる。
【００１２】
また、梁型内に換気用や空調用のダクトを収容することで、遮音性能や換気性能を良好に維持し易くなり、さらに梁型の略水平な下面を利用することで、天井に凹凸部を設けながらも照明機器等を容易に設置することができる。
【００１３】
さらに、梁型や凹凸部は、複数の野縁を組み付けてなる下地材に表面材や傾斜天井材を取り付けただけの簡単な構造となっているので、施工性の向上を図ることができる。
【００１４】
また、分散配置した吸音板と音反射板とを室内側において出寸法差なく揃えて連続させた内装材を設けることで、内壁部分においても音響障害を防ぐための対策を施しながら、室内の意匠性を良好に維持することができる。
【発明を実施するための最良の形態】
【００１５】
以下、この発明の実施形態を図面に基づいて詳細に説明する。この発明の一実施形態に係る住宅の一室として構築された音響室を、図１及び図２に示す。
【００１６】
図において、(１)は、音響室の床を示しており、この床(１)は、土間コンクリート(２)に並べた複数の支持脚(３)(３)…上に、床材(４)を敷設して構成されている。
【００１７】
(10)は、音響室の壁を示しており、この壁(10)は、外壁部分(12)と内壁部分(13)とからなる。
【００１８】
内壁部分(13)は、２層構造の遮音壁体(20)を備えている。遮音壁体(20)の外側層(21)は、外壁パネル(12)の室内側に配されており、図示しない断熱枠、断熱材(23)、石膏ボード(24)等を組み合わせてなる。また、内側層(22)は、図示しないスタッド、断熱材(23)、石膏ボード(24)等を組み合わせてなる。これら内外層(21)(22)間には、空気層(25)が設けられていて、遮音性能が高められている。そして、遮音壁体(20)の室内側に、下地材(30)(30)…を方形枠状に連結してなる下地枠(31)が立設され、この下地枠(31)の室内側に内装材(32)が取り付けられている。
【００１９】
内装材(32)は、図２及び図３に示すように、複数の吸音板(33)(33)…が分散配置された状態となっていて、これら吸音板(33)(33)…と音反射板(34)(34)…とをそれら室内側の面が略面一となるように連続させてなり、室内の意匠性の向上及び音質の均一化を図っている。なお、内装材(32)の裏面側には、空気層(35)が設けられていて、低音域まで吸音するようになっている。
【００２０】
吸音板(33)としては、例えばグラスウールボード(36)の表面に、布クロス(37)を貼り付けたものが使用されている。また、音反射板(34)としては、例えば２枚重ねして厚み調整した石膏ボード(38)(38)の表面に、吸音板(33)と同様の布クロス(37)を貼り付けたものが使用されている。従って、内装材(32)において、吸音材(33)(33)…と音反射板(34)(34)…を出寸法差なく揃えながら、それらの表面意匠を統一して、吸音材(33)を目立たせることなく見栄えを良好に保つことができる。なお、内装材(32)における吸音板(33)(33)…の配置方法や面積、吸音板(33)(33)…の材質等については、各種の音響条件等によって適宜調整すれば良い。
【００２１】
(40)は、音響室の天井を示しており、この天井(40)は、２階床の梁(14)(14)…の下側に設けた２層構造の遮音天井体(41)を備えている。遮音天井体(41)の上側層(42)及び下側層(43)は、図示しない野縁、断熱層(44)、石膏ボード(45)等を組み合わせてなる。これら上下層(42)(43)の間には、空気層(46)が設けられていて、遮音性能が高められている。
【００２２】
そして、遮音天井体(41)の室内側における周端部分に、図１及び図２に示すように、換気用及び空調用の断熱ダクト(50)(51)を収容するダクト収容用の梁型(55)が下方へ張り出すように設けられている。
【００２３】
具体的に、梁型(55)は、図４に示すように、複数の鋼製野縁(56)(56)…を組み付けてなる下地材(57)に、縦方向及び横方向の表面材(58)(58)…を取り付けてなり、遮音天井体(41)と遮音壁体(20)との間の入隅部に形成されている。そして、梁型(55)の下面は、略水平になっていて、ダウンライト等の照明機器が取付可能となっている。なお、梁型(55)の中空内部には吸音材(59)が設けられている。また、表面材(58)(58)…としては、例えば石膏ボードが使用されている。
【００２４】
この梁型(55)に収容された換気用の断熱ダクト(50)は、図２に示すように、給気用経路(60)と排気用経路(61)とを備えている。そして、給気用経路(60)の一端側(60ａ)が壁(10)から屋外に臨んでおり、他端側(60ｂ)が梁型(55)の下面から室内に臨んでおり、これら一端側(60ａ)と他端側(60ｂ)との間の距離が少なくとも４ｍ確保されている。また、排気用経路(61)は、換気扇(62)を備えており、その一端側(61ａ)が壁(10)から屋外に臨んでおり、他端側(61ｂ)が梁型(55)の下面から室内に臨んでおり、これら一端側(61ａ)と他端側(61ｂ)との間の距離が少なくとも４ｍ確保されている。さらに、給気用経路(60)と排気用経路(61)の他端側(60ｂ)(61ｂ)が、音響室の相対するコーナー部付近に夫々配されていて、室内換気を効率良く行えるようになっている。
【００２５】
空調用のダクト(51)は、給気用経路(65)と排気用経路(66)とを備えている。そして、これら給気用経路(65)及び排気用経路(66)は、その一端側が室外に設置したエアコン(67)に接続されており、その他端側(65ａ)(65ａ)(66ａ)が梁型(55)の下面から室内に臨んでいる。
なお、このように遮音天井体(41)の室内側に梁型(55)を設けて、ダクト(50)(51)を収容したのは、通常の換気システムや空調システムを音響室に適用すると、遮音欠損部が生じて著しく遮音性能が低下する可能性があるためである。
【００２６】
そして、図１に示すように、天井(40)の梁型(55)によって囲まれた部分に、音を拡散するための凹凸部(70)が設けられている。凹凸部(70)は、下地材(71)に複数の傾斜天井材(72)(72)…を鋸歯状に取り付けることによって構成されている。
【００２７】
具体的に、下地材(71)は、図５及び図６に示すように、複数の鋼製野縁(73ａ)〜(73ｄ)を組み付けてなる。すなわち、室内短手方向に沿って配置した一対の横方向の鋼製野縁(73ａ)(73ａ)間に跨って一対の縦方向の鋼製野縁(73ｂ)(73ｂ)を取り付けてなる複数の枠部材(74)(74)…を、室内長手方向に間隔をあけて配置して、それら枠部材(74)(74)…を利用して室内長手方向に沿って配置した斜め方向の鋼製野縁(73ｃ)(73ｃ)…の下側に、室内短手方向に沿って複数の横方向の鋼製野縁(73ｄ)(73ｄ)…を取り付けることによって構成されている。
【００２８】
そして、複数の傾斜天井材(72)(72)…は、下地材(71)の鋼製野縁(73ｄ)(73ｄ)…の下面に跨って夫々取り付けられている。また、複数の枠部材(74)(74)…には、傾斜天井材(72)(72)間の隙間を塞ぐ複数の縦天井材(79)(79)…が夫々取り付けられている。これら傾斜天井材(72)(72)…及び縦天井材(79)(79)…は、室内長手方向に沿った互いに対向する梁型(55)(55)に跨って配されており、これによって天井(40)の梁型(55)によって囲まれた部分全体に亘って凹凸部(70)が配されている。傾斜天井材(72)(72)…及び縦天井材(79)(79)…としては、例えば石膏ボード(80)を下地とした吸音材(81)が使用されている。
【００２９】
このようにして構成されている凹凸部(70)においては、その下方への張り出し量が梁型(55)の下方への張り出し量よりも小さく抑えられている。すなわち、梁型(55)の懐内に凹凸部(70)が納まった状態となっている。これによって、天井(40)の凹凸部(70)を目立たせることなく、見栄えを良好に保つことができる。
【００３０】
なお、この発明は、上記実施形態に限定されるものではなく、この発明の範囲内で上記実施形態に多くの修正及び変更を加え得ることは勿論である。例えば、凹凸部としては、上記のように鋸歯状に形成したものだけに限らず、波状や階段状その他形状のものであっても良い。
【図面の簡単な説明】
【００３１】
【図１】この発明の一実施形態に係る音響室の縦断面図である。
【図２】同じくその横断面図である。
【図３】内装材の横断面図である。
【図４】梁型の縦断面図である。
【図５】凹凸部の縦断面図である。
【図６】凹凸部の下地材の斜視図である。
【符号の説明】
【００３２】
(13)  内壁部分
(32)  内装材
(33)  吸音板
(34)  音反射板
(40)  天井
(50)(51)  ダクト
(55)  梁型
(56)  梁型の野縁
(57)  梁型の下地材
(58)  梁型の表面材
(70)  凹凸部
(71)  凹凸部の下地材
(72)  凹凸部の傾斜天井材
(73ａ)〜(73ｄ)  凹凸部の野縁
【図１】
2006132136.tif 000003
【図２】
2006132136.tif 000004
【図３】
2006132136.tif 000005
【図４】
2006132136.tif 000006
【図５】
2006132136.tif 000007
【図６】
2006132136.tif 000008